(57)【要約】【課題】ＤＣ高電圧フローティング出力を安定化させること。【解決手段】パルス電圧を昇圧及び整流してフローティング高電圧を生成する昇圧トランス３２２と、フローティング高電圧に応じた電圧によって流れる電流を安定化させる安定化回路３２６と、安定化回路３２６がフローティング高電圧に応じた電圧によって流れる電流を安定化させるための電源を供給するモニタ用電源３２８と、モニタ用電源３２８から安定化回路３２６に流れる電流に応じて発光するＥ／Ｏ変換部３３２と、Ｅ／Ｏ変換部３３２から照射された光の強度に応じた信号を出力するＯ／Ｅ変換部３３１と、Ｏ／Ｅ変換部３３１が出力する信号に応じて、パルス電圧のデューティー比を制御する一次制御部３２１とを含み、モニタ用電源３２８が、フローティング高電圧とは異なる電源として設けられることを特徴とする。【選択図】図２
2014057479.tif 000002
【特許請求の範囲】
【請求項１】
パルス電圧を昇圧及び整流してフローティング高電圧を生成する昇圧トランスと、
前記フローティング高電圧に応じた電圧によって流れる電流を安定化させる安定化回路と、
前記安定化回路が前記フローティング高電圧に応じた電圧によって流れる電流を安定化させるための電源を供給する安定化用電源と、
前記安定化用電源から前記安定化回路に流れる電流に応じて発光する発光部と、
前記発光部から照射された光の強度に応じた信号を出力する受光部と、
前記受光部が出力する信号に応じて、前記パルス電圧のデューティー比を制御するパルス制御部とを含み、
前記安定化用電源が、前記フローティング高電圧とは異なる電源として設けられることを特徴とする電源装置。
【請求項２】
前記受光部は、前記発光部から照射された光の強度に応じた抵抗として動作し、
前記パルス制御部は、所定の電圧が前記受光部及び前記受光部と直列に接続された抵抗によって分圧された電圧に応じて、前記パルス電圧のデューティー比を制御することを特徴とする請求項１に記載の電源装置。
【請求項３】
前記フローティング高電圧の出力を切り替えることにより矩形波を出力する出力切替部と、
前記出力切替部を駆動して前記フローティング高電圧の出力切り替えを制御する切替駆動部と、
前記切替駆動部を動作させるための電源を供給する切替駆動用電源とを含み、
前記切替駆動用電源が前記安定化用電源として用いられることを特徴とする請求項１または２に記載の電源装置。
【請求項４】
パルス電圧を昇圧及び整流してフローティング高電圧を生成し、
前記フローティング高電圧に応じた電圧によって所定の回路に流れる電流を、前記フローティング高電圧とは異なる他の電源によって安定化し、
前記所定の回路に対して、前記フローティング高電圧とは異なる他の電源から前記所定の回路に対して、電流に応じた強度で発光する発光部を介して電流を流し、
前記発光部から照射された光の強度に応じた信号を出力し、
前記受光部が出力する信号に応じて、前記パルス電圧のデューティー比を制御することを特徴とする電源装置の制御方法。
【発明の詳細な説明】
【技術分野】
【０００１】
本発明は、電源装置及び電源制御方法に関し、特に、バイアス電圧を制御することにより矩形波の上限及び下限を調整する場合の電圧の安定化に関する。
【背景技術】
【０００２】
ＤＣ（Ｄｉｒｅｃｔ  Ｃｕｒｒｅｎｔ）高圧電源の出力をスイッチングすることにより、矩形波で疑似的にＡＣ（Ａｌｔｅｒｎａｔｉｎｇ  Ｃｕｒｒｅｎｔ）高電圧を供給する方法が知られている（例えば、特許文献１参照）。このようなＤＣ高圧電源は、例えば、画像形成装置の現像器等に置いて用いられる。
【発明の概要】
【発明が解決しようとする課題】
【０００３】
特許文献１に開示されたような矩形波を出力する回路において、システムグランド側に他のＤＣ高圧電源をバイアス電圧として接続し、このバイアス電圧を調整することにより矩形波の振幅の上限及び下限を調整することが可能となる。このようなバイアス方式においては、矩形波を出力するＤＣ高圧電源がフローティング出力となるため、従来の出力モニタ方法を用いることができず、電圧を安定させることが困難となる。フローティング出力をモニタするための技術としてフォトカプラを用いる方法があるが、ＤＣ高圧電源では必要な電流を供給することができず、そのまま適用することは困難である。
【０００４】
本発明は上記実情に鑑みてなされたものであり、ＤＣ高電圧フローティング出力を安定化させることを目的とする。
【課題を解決するための手段】
【０００５】
上記課題を解決するために、本発明の一態様は、パルス電圧を昇圧及び整流してフローティング高電圧を生成する昇圧トランスと、前記フローティング高電圧に応じた電圧によって流れる電流を安定化させる安定化回路と、前記安定化回路が前記フローティング高電圧に応じた電圧によって流れる電流を安定化させるための電源を供給する安定化用電源と、前記安定化用電源から前記安定化回路に流れる電流に応じて発光する発光部と、前記発光部から照射された光の強度に応じた信号を出力する受光部と、前記受光部が出力する信号に応じて、前記パルス電圧のデューティー比を制御するパルス制御部とを含み、前記安定化用電源が、前記フローティング高電圧とは異なる電源として設けられることを特徴とする。
【０００６】
また、本発明の他の態様は、パルス電圧を昇圧及び整流してフローティング高電圧を生成し、前記フローティング高電圧に応じた電圧によって所定の回路に流れる電流を、前記フローティング高電圧とは異なる他の電源によって安定化し、前記所定の回路に対して、前記フローティング高電圧とは異なる他の電源から前記所定の回路に対して、電流に応じた強度で発光する発光部を介して電流を流し、前記発光部から照射された光の強度に応じた信号を出力し、前記受光部が出力する信号に応じて、前記パルス電圧のデューティー比を制御することを特徴とする。
【発明の効果】
【０００７】
本発明によれば、ＤＣ高電圧フローティング出力を安定化させることができる。
【図面の簡単な説明】
【０００８】
【図１】本発明の実施形態に係る電源装置の全体構成を示すブロック図である。
【図２】本発明の実施形態に係る高圧電源部の回路構成を示す図である。
【図３】本発明の実施形態に係る高圧電源部によって出力される矩形波の例を示す図である。
【図４】本発明の比較例に係る考案電源部の構成例を示す図である。
【図５】本発明の他の実施形態に係る高圧電源部の回路構成を示す図である。
【図６】本発明の実施形態に係る高圧電源部を含む電源装置を適用する画像形成装置の構成を示す図である。
【発明を実施するための形態】
【０００９】
以下、図面を参照して、本発明の実施形態を詳細に説明する。本実施形態に係る電源装置は、矩形波を出力するＤＣ（Ｄｉｒｅｃｔ  Ｃｕｒｒｅｎｔ）高圧電源の一端をバイアスに接続することにより、バイアス電圧の調整によって矩形波の振幅の上限及び下限を調整可能とする高圧電源装置である。そして、一次側と二次側とが絶縁された検知回路によってＤＣ高圧電源の両端のうちバイアスに接続された側の電圧を他の電源から供給される電流に基づいて検知すると共に、ＤＣ高圧電源側には安定化回路を設けて出力を安定されることを特徴とする。
【００１０】
図１は、本実施形態に係る電源装置の全体構成を示すブロック図である。図１に示すように、本実施形態に係る電源装置は、ＰＳＵ（Ｐｏｗｅｒ  Ｓｕｐｐｌｙ  Ｕｎｉｔ）１、制御装置２及び高圧電源部３を含む。ＰＳＵ１は、商用電源等に基づき、高圧電源部３に対してＤＣ２４Ｖを供給する。制御装置２は、高圧電源部３の動作を制御するコントローラであり、ＣＰＵ（Ｃｅｎｔｒａｌ  Ｐｒｏｃｅｓｓｉｎｇ  Ｕｎｉｔ）のような演算装置が、ＲＡＭ（Ｒａｎｄｏｍ  Ａｃｃｅｓｓ  Ｍｅｍｏｒｙ）に展開されたプログラムや、ＲＯＭ（Ｒｅａｄ  Ｏｎｌｙ  Ｍｅｍｏｒｙ）に格納されたプログラムに従って動作することにより構成される。
【００１１】
高圧電源部３は、本実施形態の用紙に係る構成であり、制御装置２から入力される制御信号に従い、ＰＳＵ１から供給されるＤＣ２４Ｖ電源を増幅して高電圧矩形波として出力する。図２を参照して、本実施形態に係る高圧電源部３の構成について説明する。
【００１２】
図２に示すように、本実施形態に係る高圧電源部３は、バイアス部３１０及び矩形波出力部３２０を含む。バイアス部３１０は、一次制御部３１１、昇圧トランス３１２、整流回路３１３、分圧抵抗３１４及び分圧抵抗３１５を含む。矩形波出力部３２０は、一次制御部３２１、昇圧トランス３２２、整流回路３２３、分圧抵抗３２４、分圧抵抗３２５、安定化回路３２６、ＳＷ回路３２７、モニタ用電源３２８、抵抗３２９及びフォトカプラ３３０を含み、フォトカプラ３３０は、Ｏ／Ｅ変換部３３１及びＥ／Ｏ変換部３３２を含む。
【００１３】
バイアス部３１０は、制御装置２から入力される制御信号に従ってＰＳＵ１から入力されるＤＣ２４Ｖを増幅し、矩形波の振幅の下限の電圧を生成する。そのため、一次制御部３１１は、制御装置２から入力される制御信号に従い、ＤＣ２４Ｖを所定のデューティー比で昇圧トランス３１２の一次側に印加する。昇圧トランス３１２は、一次制御部３１１によって印加されたＤＣ２４Ｖを、コイルの巻数に応じて昇圧して二次側に出力する。
【００１４】
昇圧トランス３１２の二次側に出力された電圧は整流回路３１３によって整流され、整流回路３１３によってバイアス電圧ＤＣ１が生成される。分圧抵抗３１４及び分圧抵抗３１５は互いに直列に接続されており、分圧抵抗３１４が整流回路３１３の高電位側に、分圧抵抗３１５がシステムグランドに夫々接続されている。これにより、整流回路３１３が生成したバイアス電圧ＤＣ１が分圧抵抗３１４及び分圧抵抗３１５によって分圧された電圧が一次制御部３１１にリファレンス電圧として入力される。
【００１５】
一次制御部３１１は、制御装置２から入力される制御信号に応じたリファレンス電圧が得られるように、昇圧トランス３１２に印加するＤＣ２４Ｖのデューティー比を制御する。これにより、制御装置２の制御に応じたバイアス電圧ＤＣ１が生成され、矩形波出力部３２０側に出力される。
【００１６】
矩形波出力部３２０においても、一次制御部３２１、昇圧トランス３２２及び整流回路３２３は、バイアス部３１０の一次制御部３１１、昇圧トランス３１２及び整流回路３１３と略同様に動作し、それによって整流回路３２３が矩形波出力電圧ＤＣ２を生成する。整流回路３２３の低電位側はバイアス部３１０の出力に接続されており、昇圧トランス３２２及び整流回路３２３による出力はフローティング出力となっているため、整流回路３２３の出力である矩形波出力電圧ＤＣ２はバイアス電圧ＤＣ１に重畳され、ＤＣ１＋ＤＣ２の値の電圧がＳＷ回路３２７から出力される。
【００１７】
分圧抵抗３２４及び分圧抵抗３２５は互いに直列に接続されており、分圧抵抗３２４が整流回路３２３の高電位側に、分圧抵抗３２５がバイアス部３１０からの入力側に夫々接続されている。これにより、整流回路３２３が生成した矩形波出力電圧ＤＣ２が分圧抵抗３２４及び分圧抵抗３２５によって分圧された電圧が安定化回路３２６に入力される。
【００１８】
モニタ用電源３２８は、フォトカプラ３３０のＥ／Ｏ変換部３３２及び安定化回路３２６が動作するための電源を供給する補助電源であり、その低電位側がバイアス部３１０からの入力側に接続され、他端がフォトカプラ３３０のＥ／Ｏ変換部３３２に接続されている。また、フォトカプラ３３０のＥ／Ｏ変換部３３２の他端は安定化回路３２６に接続され、安定化回路の一端はバイアス部３１０からの入力側に接続されている。
【００１９】
安定化回路３２６は、分圧抵抗３２４及び分圧抵抗３２５によって分圧された電圧によって内部を流れる電流が所望の値となるように動作する。そのため、分圧抵抗３２４及び分圧抵抗３２５によって分圧された電圧が変動した場合、モニタ用電源３２８からＥ／Ｏ変換部３３２を通って供給される電流を変動させることによって、内部を流れる電流が所望の値となるように制御する。尚、安定化回路３２６としては、公知のシャントレギュレータ等を用いることが可能であり、詳細な説明を省略する。
【００２０】
Ｅ／Ｏ変換部３３２は、モニタ用電源３２８の高電位側から安定化回路３２６に流れる電流量に応じて発行する発光部である。上述したように、安定化回路３２６は、分圧抵抗３２４及び分圧抵抗３２５によって分圧された電圧の変動に応じて、モニタ用電源３２８からＥ／Ｏ変換部３３２を経て供給される電流を変動させる。結果的に、Ｅ／Ｏ変換部３３２の発光強度は、分圧抵抗３２４及び分圧抵抗３２５によって分圧された電圧が既定値よりも低ければ強くなり、既定値よりも高ければ弱くなる。
【００２１】
Ｅ／Ｏ変換部３３２とＯ／Ｅ変換部３３１とはパッケージングされており、Ｅ／Ｏ変換部３３２の発光によって生じた光のほとんどがＯ／Ｅ変換部３３１に入射するように構成されている。Ｏ／Ｅ変換部３３１は、Ｅ／Ｏ変換部３３２から照射された光の強度に応じた値の抵抗として動作する可変抵抗であり、受光強度が高いほどその抵抗値は低くなる。
【００２２】
５Ｖ電源、Ｏ／Ｅ変換部３３１及び抵抗３２９は直列に接続されており、Ｏ／Ｅ変換部３３１は、供給される５Ｖ電源を抵抗３２９との間で分圧する。Ｏ／Ｅ変換部３３１と抵抗３２９とで分圧された電圧は一次制御部３２１に入力される。換言すると、Ｏ／Ｅ変換部３３１は、Ｅ／Ｏ変換部３３２が発光する光の強度に応じた信号を出力する受光部として機能する。上述したように、Ｏ／Ｅ変換部３３１は受光強度が強い程抵抗値が低くなり、Ｏ／Ｅ変換部３３１と抵抗３２９との間の電圧が高くなる。
【００２３】
上述したように、Ｏ／Ｅ変換部３３１が受光するＥ／Ｏ変換部３３２の発光強度は、分圧抵抗３２４及び分圧抵抗３２５によって分圧された電圧の値によって変動する。即ち、一次制御部３２１に入力されるリファレンス電圧の値は、分圧抵抗３２４及び分圧抵抗３２５によって分圧された電圧の値によって変動する。
【００２４】
一次制御部３２１は、このようにして入力されたリファレンス電圧の値が、制御装置２から入力される制御信号に応じた値の電圧となるように、昇圧トランス３２２に印加するＤＣ２４Ｖのディーティー比を制御するパルス制御部である。これにより、制御装置２の制御に応じた矩形波出力電圧ＤＣ２が生成され、ＳＷ回路３２７から出力される。
【００２５】
ＳＷ回路３２７は、制御装置２から入力される信号に応じて、バイアス電圧ＤＣ１への矩形波出力電圧ＤＣ２の重畳状態を切り替える。その結果、ＳＷ回路３２７は、バイアス電圧ＤＣ１の電圧値と、バイアス電圧ＤＣ１に矩形波出力電圧ＤＣ２が重畳された電圧値とを出力する。
【００２６】
図３は、本実施形態に係る高圧電源部３から出力される矩形波の例を示す図である。図３に示すように、矩形波の下限はバイアス部３１０によって生成されるバイアス電圧ＤＣ１である。このバイアス電圧ＤＣ１に矩形波出力部３２０において生成される矩形波出力電圧ＤＣ２が重畳されることにより、矩形波の上限はＤＣ１＋ＤＣ２の値となる。上述したように、ＤＣ１及びＤＣ２の値は、制御装置２がバイアス部３１０、矩形波出力部３２０夫々の一次制御部３１１、一次制御部３２１に入力する制御信号によって調整可能である。
【００２７】
次に、本実施形態の比較例として、フォトカプラによるフローティング電圧の検知方法を、そのまま矩形波出力部３２０に適用した場合の構成について、図４を参照して説明する。図４に示すように、フォトカプラによるフローティング電圧の検知方法を、そのまま矩形波出力部３２０に適用した場合、Ｅ／Ｏ変換部３３２の安定化回路３２６とは反対側の端が整流回路３２３の高電位側に接続される。
【００２８】
図４の場合、分圧抵抗３２４及び分圧抵抗３２５によって分圧された電圧が変動すると、安定化回路３２６は、Ｅ／Ｏ変換部３３２を介して接続された整流回路３２３の高電位側、即ち、矩形波出力電圧ＤＣ２から、不足する電流を補おうと動作する。しかしながら、昇圧トランス３２２及び整流回路３２３によって生成される矩形波出力電圧ＤＣ２では、Ｅ／Ｏ変換部３３２を発光させることが可能な量の電流を供給できないため、図４に示す回路では矩形波出力電圧ＤＣ２の変動を一次制御部３２１に正確に伝えることができない。
【００２９】
これに対して、図２において説明した本実施形態に係る回路であれば、昇圧トランス３２２及び整流回路３２３とは別に設けられたモニタ用電源３２８によってＥ／Ｏ変換部３３２を発光させるための電流を供給する。モニタ用電源３２８としては、Ｅ／Ｏ変換部３３２を発光させることが可能な量の電流を供給可能な電源が選択されるため、安定化回路３２６の動作に応じた電流がＥ／Ｏ変換部３３２を介してモニタ用電源３２８から供給され、Ｅ／Ｏ変換部３３２は安定化回路３２６の動作状態に応じた強度で発光する。
【００３０】
そして、安定化回路３２６の動作状態は、分圧抵抗３２４及び分圧抵抗３２５によって分圧された電圧の変動、即ち、矩形波出力電圧ＤＣ２の変動に応じて定まるため、本実施形態に係る高圧電源部３によれば、矩形波出力電圧ＤＣ２の変動を一次制御部３２１に正確に伝えることができる。その結果、一次制御部３２１による昇圧トランス３２２に印加する電圧パルスのデューティー比を制御することにより、矩形波出力電圧ＤＣ２を所望の値に制御することが可能となる。
【００３１】
以上説明したように、本実施形態においては、昇圧トランスによって昇圧されたフローティング電圧の変動を検知するため、フローティング電圧に応じた電圧によって流れる電流を他の電源から供給される電流に基づいて安定化させる安定化回路を設け、他の電源から安定化回路への電流供給は、フォトカプラを介して行う。そのため、フォトカプラはフローティング電圧の変動量に応じて動作し、そのＯ／Ｅ変換側には、フローティング電圧が低下する程多くの電流が流れる。そのようなフォトカプラの動作を検知することにより、フローティング電圧の変動を間接的に検知することが可能であり、その検知結果に従って昇圧トランスに与える電圧パルスのデューティー比を制御することによってフローティング電圧を所望の値に安定させることが可能となる。
【００３２】
尚、図２の例においては、ＳＷ回路３２７が、制御装置２から入力されるトリガ信号に従って動作する場合を例として説明したが、図５に示すように、ＳＷ回路３２７を駆動するためのＳＷ駆動回路３４１及びＳＷ駆動回路３４１に電力を供給するためのＳＷ駆動用電源３４２が設けられる場合もあり得る。
【００３３】
図５に示すＳＷ駆動回路３４１は、所定の信号でＳＷ回路３２７による矩形波出力電圧ＤＣ２の出力状態、即ちバイアス電圧ＤＣ１への重畳有無を切り替える切替駆動部である。このＳＷ駆動回路３４１としては、例えばブートストラップ回路等が用いられる。また、ＳＷ駆動用電源３４２は、切替駆動部であるＳＷ駆動回路３４１を動作させるための電源を供給する切替駆動用電源である。
【００３４】
従って、Ｅ／Ｏ変換部３３２を介して安定化回路３２６に電流を供給するための電源として、このＳＷ駆動用電源３４２を用いることも可能である。これにより、上記と同様の効果を得ることが可能であると共に、図２のモニタ用電源３２８のような新たな電源を追加で設ける必要がなくなり、装置構成を効率化することが可能となる。
【００３５】
上記実施形態において説明した電源装置は、例えば、電子写真方式の画像形成装置において感光体ドラム上に形成された静電潜像を現像するための電圧を生成するために用いられる。以下、上記実施形態に係る電源装置が適用される画像形成の例について説明する。
【００３６】
図６は、本実施形態に係る電源装置を適用する画像形成装置の機械的な構成例を示す図である。図６に示すように、本実施形態に係る電源装置が適用される画像形成装置は、無端状移動手段である搬送ベルト１０５に沿って各色の画像形成部１０６が並べられた構成を備えるものであり、所謂タンデムタイプといわれるものである。すなわち、給紙トレイ１０１から給紙ローラ１０２と分離ローラ１０３とにより分離給紙される用紙（記録媒体の一例）１０４に転写するための中間転写画像が形成される中間転写ベルトである搬送ベルト１０５に沿って、この搬送ベルト１０５の搬送方向の上流側から順に、複数の画像形成部（電子写真プロセス部）１０６ＢＫ、１０６Ｍ、１０６Ｃ、１０６Ｙが配列されている。
【００３７】
これら複数の画像形成部１０６ＢＫ、１０６Ｍ、１０６Ｃ、１０６Ｙは、形成するトナー画像の色が異なるだけで内部構成は共通である。画像形成部１０６ＢＫはブラックの画像を、画像形成部１０６Ｍはマゼンタの画像を、画像形成部１０６Ｃはシアンの画像を、画像形成部１０６Ｙはイエローの画像をそれぞれ形成する。尚、以下の説明においては、画像形成部１０６ＢＫについて具体的に説明するが、他の画像形成部１０６Ｍ、１０６Ｃ、１０６Ｙは画像形成部１０６ＢＫと同様であるので、その画像形成部１０６Ｍ、１０６Ｃ、１０６Ｙの各構成要素については、画像形成部１０６ＢＫの各構成要素に付したＢＫに替えて、Ｍ、Ｃ、Ｙによって区別した符号を図に表示するにとどめ、説明を省略する。
【００３８】
搬送ベルト１０５は、回転駆動される駆動ローラ１０７と従動ローラ１０８とに架け渡されたエンドレスのベルト、即ち無端状ベルトである。この駆動ローラ１０７は、不図示の駆動モータにより回転駆動させられ、この駆動モータと、駆動ローラ１０７と、従動ローラ１０８とが、無端状移動手段である搬送ベルト１０５を移動させる駆動手段として機能する。
【００３９】
画像形成に際しては、回転駆動される搬送ベルト１０５に対して、最初の画像形成部１０６ＢＫが、ブラックのトナー画像を転写する。画像形成部１０６ＢＫは、感光体としての感光体ドラム１０９ＢＫ、この感光体ドラム１０９ＢＫの周囲に配置された帯電器１１０ＢＫ、光書き込み装置１１１、現像器１１２ＢＫ、感光体クリーナ（図示せず）、除電器１１３ＢＫ等から構成されている。光書き込み装置２００は、夫々の感光体ドラム１０９ＢＫ、１０９Ｍ、１０９Ｃ、１０９Ｙ（以降、総じて「感光体ドラム１０９」という）に対して光を照射するように構成されている。
【００４０】
画像形成に際し、感光体ドラム１０９ＢＫの外周面は、暗中にて帯電器１１０ＢＫにより一様に帯電された後、光書き込み装置１００からのブラック画像に対応した光源からの光により書き込みが行われ、静電潜像が形成される。現像器１１２ＢＫは、この静電潜像をブラックトナーにより可視像化し、このことにより感光体ドラム１０９ＢＫ上にブラックのトナー画像が形成される。この現像器１１２ＢＫにおける電圧を生成するために、上記実施形態に係る高圧電源部３を含む電源装置が用いられる。
【００４１】
このトナー画像は、感光体ドラム１０９ＢＫと搬送ベルト１０５とが当接若しくは最も接近する位置（転写位置）で、転写器１１５ＢＫの働きにより搬送ベルト１０５上に転写される。この転写により、搬送ベルト１０５上にブラックのトナーによる画像が形成される。トナー画像の転写が終了した感光体ドラム１０９ＢＫは、外周面に残留した不要なトナーを感光体クリーナにより払拭された後、除電器１１３ＢＫにより除電され、次の画像形成のために待機する。
【００４２】
以上のようにして、画像形成部１０６ＢＫにより搬送ベルト１０５上に転写されたブラックのトナー画像は、搬送ベルト１０５のローラ駆動により次の画像形成部１０６Ｍに搬送される。画像形成部１０６Ｍでは、画像形成部１０６ＢＫでの画像形成プロセスと同様のプロセスにより感光体ドラム１０９Ｍ上にマゼンタのトナー画像が形成され、そのトナー画像が既に形成されたブラックの画像に重畳されて転写される。
【００４３】
搬送ベルト１０５上に転写されたブラック、マゼンタのトナー画像は、さらに次の画像形成部１０６Ｃ、１０６Ｙに搬送され、同様の動作により、感光体ドラム１０９Ｃ上に形成されたシアンのトナー画像と、感光体ドラム１０９Ｙ上に形成されたイエローのトナー画像とが、既に転写されている画像上に重畳されて転写される。こうして、搬送ベルト１０５上にフルカラーの中間転写画像が形成される。
【００４４】
給紙トレイ１０１に収納された用紙１０４は最も上のものから順に送り出され、その搬送経路が搬送ベルト１０５と接触する位置若しくは最も接近する位置において、搬送ベルト１０５上に形成された中間転写画像がその紙面上に転写される。これにより、用紙１０４の紙面上に画像が形成される。紙面上に画像が形成された用紙１０４は更に搬送され、定着器１１６にて画像を定着された後、画像形成装置の外部に排紙される。
【符号の説明】
【００４５】
１  ＰＳＵ
２  制御装置
３  高圧電源部
１００  画像形成装置
１０１  給紙トレイ
１０２  給紙ローラ
１０３  分離ローラ
１０４  用紙
１０５  搬送ベルト
１０６ＢＫ、１０６Ｃ、１０６Ｍ、１０６Ｙ  画像形成部
１０７  駆動ローラ
１０８  従動ローラ
１０９ＢＫ、１０９Ｃ、１０９Ｍ、１０９Ｙ  感光体ドラム
１１０ＢＫ  帯電器
１１１光書き込み装置
１１２ＢＫ、１１２Ｃ、１１２Ｍ、１１２Ｙ  現像器
１１３ＢＫ、１１３Ｃ、１１３Ｍ、１１３Ｙ  除電器
１１５ＢＫ、１１５Ｃ、１１５Ｍ、１１５Ｙ  転写器
１１６  定着器
３１０  バイアス部
３１１  一次制御部
３１２  昇圧トランス
３１３  整流回路
３１４、３１５  分圧抵抗
３２０  矩形波出力部
３２１  一次制御部
３２２  昇圧トランス
３２３  整流回路
３２４、３２５  分圧抵抗
３２６  安定化回路
３２７  ＳＷ回路
３２８  モニタ用電源
３２９  抵抗
３３０  フォトカプラ
３３１  Ｏ／Ｅ変換部
３３２  Ｅ／Ｏ変換部
３４１  ＳＷ駆動回路
３４２  ＳＷ駆動用電源
【先行技術文献】
【特許文献】
【００４６】
【特許文献１】特開２００５−１８５０４８号公報
【特許文献２】特開２０１１−１１４５７４号公報
【図１】
2014057479.tif 000003
【図２】
2014057479.tif 000004
【図３】
2014057479.tif 000005
【図４】
2014057479.tif 000006
【図５】
2014057479.tif 000007
【図６】
2014057479.tif 000008